(57)【要約】【課題】自然な付加画像を表示する画像表示装置を提供する。【解決手段】画像表示装置１は、面状に光を照射する発光装置１７と、発光装置１７が照射する光を用いて画像を表示する表示パネル１８と、表示パネル１８が表示しようとする画像中に付加画像を重畳し得る付加画像重畳部１３と、発光装置１７が表示パネル１８に照射する光を制御する発光制御部１９と、を備える。発光制御部１９は、少なくとも表示パネル１８が表示する付加画像の明るさが略一定となるように、発光装置１７が表示パネル１８に対して照射する光を制御する。【選択図】図１
2012078573.tif 000002
【特許請求の範囲】
【請求項１】
面状に光を照射する発光装置と、
前記発光装置が照射する光を用いて画像を表示する表示パネルと、
前記表示パネルが表示しようとする画像中に付加画像を重畳し得る付加画像重畳部と、
前記発光装置が前記表示パネルに照射する光を制御する発光制御部と、を備え、
前記発光制御部が、少なくとも前記表示パネルが表示する付加画像の明るさが略一定となるように、前記発光装置が前記表示パネルに対して照射する光を制御することを特徴とする画像表示装置。
【請求項２】
前記発光制御部が、少なくとも前記表示パネルが付加画像を表示する領域に対して前記発光装置が照射する光の強度を、略一定にすることを特徴とする請求項１に記載の画像表示装置。
【請求項３】
前記発光制御部が、前記表示パネルが付加画像を表示する領域に対して前記発光装置が照射する光の強度を、付加画像に基づいて決定することを特徴とする請求項２に記載の画像表示装置。
【請求項４】
前記発光制御部が、前記表示パネルが付加画像を表示しない領域に対して前記発光装置が照射する光の強度を、当該領域が表示する画像に基づいて決定することを特徴とする請求項１〜請求項３のいずれかに記載の画像表示装置。
【請求項５】
前記付加画像重畳部が、前記表示パネルが表示しようとする画像の少なくとも一部を付加画像で置換することで、当該画像に付加画像を重畳することを特徴とする請求項１〜請求項４のいずれかに記載の画像表示装置。
【請求項６】
前記発光装置が、前記表示パネルが画像を表示する面に対して略平行となる面上に配置される複数の点状光源を備え、
前記発光制御部が、前記点状光源のそれぞれが出射する光の強度を制御することで、前記発光装置が前記表示パネルに照射する光の強度を制御することを特徴とする請求項１〜請求項５のいずれかに記載の画像表示装置。
【発明の詳細な説明】
【技術分野】
【０００１】
本発明は、発光装置から照射される光を用いて表示を行う画像表示装置に関するものである。
【背景技術】
【０００２】
液晶表示装置に代表されるような、面状に光を照射する発光装置と、当該発光装置が照射する光を用いて画像を表示する表示パネルと、を備えた画像表示装置が普及している。また、近年、表示パネルの画像を表示する面内のそれぞれの領域に対して発光装置が照射する光の強度を、それぞれ任意に制御可能な画像表示装置が提案されている。
【０００３】
この画像表示装置は、表示パネルが表示する画像に基づいて光の強度を制御することで、より自然な画像を表示することができる。具体的に例えば、この画像表示装置は、暗い（例えば、輝度値が小さい）部分を表示する表示パネルの領域に照射される光の強度を小さくすることで、当該部分をより暗く表示し、明るい（例えば、輝度値が大きい）部分を表示する表示パネルの領域に照射される光の強度を大きくすることで、当該部分をより明るく表示することができる。
【０００４】
また、上記の画像表示装置の中には、ＯＳＤ（On Screen Display）などの付加的な画像（以下、付加画像とする）を表示するものがある。通常、このような画像表示装置では、表示パネルが表示する画像の少なくとも一部に付加画像を重畳することで、付加画像の表示を行う（例えば、特許文献１及び特許文献２参照）。
【先行技術文献】
【特許文献】
【０００５】
【特許文献１】特開２００８−１１６５５５号公報
【特許文献２】特開２０１０−９６８５７号公報
【発明の概要】
【発明が解決しようとする課題】
【０００６】
上記の画像表示装置が付加画像を表示すると、付加画像を重畳する画像に応じて発光装置が照射する光が制御されるため、表示される付加画像の明るさが変動することがある。付加画像は少数色（例えば、単色）の画像として構成されることが多く、またユーザが注目し得る画像である。そのため、表示パネルの明るさが変動すると、ユーザは、表示パネルに表示される付加画像が不自然であると強く感じ得るため、問題となる。
【０００７】
なお、特許文献１で提案されている画像表示装置のように、表示される付加画像の明るさの変動を、表示パネル側で相殺することは可能である。しかしながら、表示パネル側で相殺可能な明るさの変動の大きさには限界があり、自然な付加画像を表示することは困難であるため、問題となる。
【０００８】
そこで、本発明は、自然な付加画像を表示する画像表示装置を提供することを目的とする。
【課題を解決するための手段】
【０００９】
上記目的を達成するために本発明の画像表示装置は、面状に光を照射する発光装置と、前記発光装置が照射する光を用いて画像を表示する表示パネルと、前記表示パネルが表示しようとする画像中に付加画像を重畳し得る付加画像重畳部と、前記発光装置が前記表示パネルに照射する光を制御する発光制御部と、を備え、前記発光制御部が、少なくとも前記表示パネルが表示する付加画像の明るさが略一定となるように、前記発光装置が前記表示パネルに対して照射する光を制御することを特徴とする。
【００１０】
また、上記構成の画像表示装置において、前記発光制御部が、少なくとも前記表示パネルが付加画像を表示する領域に対して前記発光装置が照射する光の強度を、略一定にすると好ましい。
【００１１】
このように構成すると、表示パネルが表示する付加画像の明るさを、精度よく一定の明るさにすることが可能になる。
【００１２】
また、上記構成の画像表示装置において、前記発光制御部が、前記表示パネルが付加画像を表示する領域に対して前記発光装置が照射する光の強度を、付加画像に基づいて決定すると好ましい。
【００１３】
このように構成すると、表示パネルが表示する付加画像の明るさを、付加画像に適した明るさにすることが可能になる。
【００１４】
また、上記構成の画像表示装置において、前記発光制御部が、前記表示パネルが、付加画像を表示しない領域に対して前記発光装置が照射する光の強度を、付加画像が重畳されていない画像の部分に基づいて決定すると好ましい。
【００１５】
このように構成すると、表示パネルに表示される画像中の付加画像以外の部分の明るさを、当該部分に適した明るさにする（当該部分の明るさの変動を許容する）ことが可能になる。そのため、表示パネルが、当該部分を自然に表示することが可能になる。
【００１６】
また、上記構成の画像表示装置において、前記付加画像重畳部が、前記表示パネルが表示しようとする画像の少なくとも一部を付加画像で置換することで、当該画像に付加画像を重畳すると好ましい。
【００１７】
このように構成すると、当該画像中の付加画像が重畳された下地となる部分が、表示パネルで表示されなくなる。そのため、表示パネルが、付加画像を明瞭に表示することが可能になる。
【００１８】
また、上記構成の画像表示装置において、前記付加画像重畳部が、前記表示パネルが表示しようとする画像の少なくとも一部と付加画像とを混合することで、当該画像に付加画像を重畳しても構わない。
【００１９】
このように構成すると、当該画像中の付加画像が重畳された下地となる部分が、表示パネルで表示されるようになる。そのため、表示パネルが、付加画像だけでなく、当該画像中の付加画像が重畳された下地となる部分までも表示することが可能になる。なお、この場合、付加画像が重畳される画像が変動したとしても、表示パネルが、当該変動の影響を受けずに付加画像の明るさを一定にして表示することが可能である。
【００２０】
また、上記構成の画像表示装置において、前記発光装置が、前記表示パネルが画像を表示する面に対して略平行となる面上に配置される複数の点状光源を備え、前記発光制御部が、前記点状光源のそれぞれが出射する光の強度を制御することで、前記発光装置が前記表示パネルに照射する光の強度を制御すると好ましい。
【００２１】
このように構成すると、表示パネルの画像を表示する面内のそれぞれの領域に対して発光装置が照射する光の強度を、それぞれ精度良く制御することが可能になる。
【発明の効果】
【００２２】
本発明の画像表示装置は、発光装置が表示パネルに対して照射する光の強度を制御することで、表示パネルが略一定の明るさの付加画像を表示する。そのため、表示パネルが、自然な付加画像を表示することが可能になる。
【００２３】
本発明の意義ないし効果は、以下に示す実施の形態の説明によりさらに明らかとなろう。ただし、以下の実施の形態は、あくまでも本発明の実施の形態の一つであって、本発明ないし各構成要件の用語の意義は、以下の実施の形態に記載されたものに制限されるものではない。
【図面の簡単な説明】
【００２４】
【図１】は、本発明の実施の一形態である画像表示装置の構成例を示すブロック図である。
【図２】は、図１に示す画像表示装置に備えられる表示パネル及び発光装置の概略構成例を示す分解斜視図である。
【図３】は、図１に示す画像表示装置の動作例を示すフローチャートである。
【発明を実施するための形態】
【００２５】
＜画像表示装置の構成例＞
以下、本発明の実施の一形態である画像表示装置について説明する。最初に、画像表示装置の構成例について、図１を参照して説明する。図１は、本発明の実施の一形態である画像表示装置の構成例を示すブロック図である。なお、図中の各ブロックを接続する実線の矢印は画像のやり取りを示し、破線の矢印は画像以外の情報や動作指示などのやり取りを示している。また、以下では説明の簡略化のため、画像表示装置が画像を表示するために処理する信号も、画像として表現する。
【００２６】
図１に示すように、画像表示装置１は、画像を表示する画像表示部１０と、ユーザに操作されることでユーザの指示が入力される操作部２０と、画像表示部１０を含む画像表示装置１の全体の動作を制御するＣＰＵ（Central Processing Unit）３０と、各種プログラムや各種データを保持するメモリ４０と、を備える。
【００２７】
操作部２０は、例えば画像表示装置１に配置されるキースイッチや、リモートコントローラ（送信装置）及び受信装置などから成る。ＣＰＵ３０は、必要に応じて動作用のプログラムやデータをメモリ４０に保持させ、これに基づいて画像表示装置１の動作の制御を行う。なお、以下では説明の簡略化のため、ＣＰＵ３０による画像表示装置１の各部の動作の制御については省略する。
【００２８】
画像表示部１０は、画像を取得する画像取得部１１と、画像取得部１１が取得した画像を処理する画像処理部１２と、画像処理部１２が処理した画像に必要に応じて付加画像を重畳する付加画像重畳部１３と、付加画像重畳部１３が付加画像を重畳した画像や付加画像を重畳していない画像を調整する画像調整部１４と、画像調整部１４が調整した画像中の付加画像の位置を検出する付加画像位置検出部１５と、付加画像位置検出部１５の検出結果に基づいて画像調整部１４が調整した画像中の付加画像の明るさやそれ以外の部分の明るさを検出する明るさ検出部１６と、面状に光を照射する発光装置１７と、発光装置１７から照射される光を用いて画像調整部１４が調整した画像を表示する表示パネル１８と、明るさ検出部１６の検出結果に基づいて発光装置１７が表示パネル１８に照射する光を制御する発光制御部１９と、を備える。
【００２９】
画像取得部１１は、例えば、テレビジョン放送を受信処理することで画像を取得するチューナや、光ディスクのプレーヤなど画像表示装置１の外部の機器から入力される画像を取得する入力端子などから成る。画像処理部１２は、画像取得部１１が取得した画像を、画像表示部１０が処理したり表示したりすることができるように変換する処理を行う。例えば、画像処理部１０は、画像のデコードやフォーマットの変換などを行う。
【００３０】
付加画像重畳部１３は、例えば、操作部２０を介してユーザが所定の指示（例えば、画像表示装置１の設定用の付加画像を表示する指示）を入力することで、付加画像を表示する必要が生じた場合に、画像処理部１２で処理された画像の少なくとも一部に当該指示に応じた付加画像を重畳させる。このとき、付加画像処理部１２は、画像処理部１２で処理された画像の大きさに合わせて、重畳させるべき付加画像の大きさを調整（スケーリング）する。
【００３１】
付加画像重畳部１３は、画像処理部１２で処理された画像の少なくとも一部を、付加画像で置換する。換言すると、付加画像重畳部１３は、当該画像に不透明の付加画像を重畳する。これにより、当該画像中の付加画像が重畳された下地となる部分が、表示パネル１８で表示されなくなる。そのため、表示パネル１８が、付加画像を明瞭に表示することが可能になる。
【００３２】
画像調整部１４は、付加画像重畳部１３で付加画像が重畳された画像や、付加画像が重畳されなかった画像（画像処理部１２で処理された画像）を、表示パネル１８で表示し得るように調整する。例えば、画像調整部１４は、上記の画像の大きさの調整（スケーリング）や、フォーマットの変換などを行う。
【００３３】
付加画像位置検出部１５は、画像調整部１４で調整された画像中の付加画像の位置を検出する。例えば、付加画像位置検出部１５は、画像調整部１４で調整された画像の画素値を参照し、付加画像を示す画素値を検出することで、画像中の付加画像の位置を検出する。
【００３４】
明るさ検出部１６は、画像調整部１４で調整された画像の位置毎（例えば、画素毎や、複数の隣接する画素から成る領域毎）に明るさ（例えば、輝度値）を検出する。このとき、明るさ検出部１６は、付加画像位置検出部１５で検出された付加画像の画像中の位置と、それ以外の位置（付加画像が重畳されていない画像中の位置）とを区別して、明るさを検出する。
【００３５】
例えば、明るさ検出部１６は、付加画像が重畳された画像中の位置の明るさとして、一定の明るさを検出する。具体的に例えば、明るさ検出部１６は、付加画像が重畳された画像中の位置の明るさとして、付加画像重畳部１３が画像に重畳する付加画像の明るさを検出する。また、具体的に例えば、明るさ検出部１６は、付加画像が重畳されていない画像中の位置の明るさとして、画像調整部１４で調整された画像の当該位置の明るさを検出する。
【００３６】
発光装置１７は、表示パネル１８に対して面状に光を照射する。表示パネル１８は、発光装置１７から照射される光を用いて、画像調整部１４で調整された画像を表示する。この発光装置１７及び表示パネル１８の構成の一例について、図２を参照して説明する。図２は、図１に示す画像表示装置に備えられる表示パネル及び発光装置の概略構成例を示す分解斜視図である。なお、以下では、発光装置１７から見て表示パネル１８が位置する方向（発光装置１７が表示パネル１８に対して光を照射する方向）を、照射方向（図中上方向）として説明する。また、説明の具体化のため、表示パネル１８が液晶パネルである場合を例示する。
【００３７】
図２に示すように、発光装置１７は、表示パネル１８が画像を表示する面に対して略平行となる面上に配置される複数の点状光源１７１ａを備える光源部１７１と、光源部１７１のそれぞれの点状光源１７１ａが出射する光を拡散して照射方向に光を照射する拡散板１７２と、を備える。
【００３８】
例えば、点状光源１７１ａは、赤色の光を出射する発光ダイオード、緑色の光を出射する発光ダイオード及び青色の光を出射する発光ダイオードの組み合わせから成り、これらが出射する光の混色により白色の光を照射するものであっても構わない。また例えば、点状光源１７１ａは、白色の光を出射する発光ダイオード（例えば、青色の光を出射する発光ダイオードと、当該光により励起されて黄色の光を出射する蛍光体とを備えるもの）から成るものであっても構わない。
【００３９】
表示パネル１８は、発光装置１７側に配置され特定の方向に振動する光を選択的に透過する偏光板１８１と、偏光板１８１の照射方向側に配置され液晶が封入されている基板１８２と、基板１８２の照射方向側に配置され偏光板１８１が透過する光の振動方向に対して略垂直な方向に振動する光を選択的に透過する偏光板１８３と、を備える。
【００４０】
発光装置１７の拡散板１７２から出射される光は偏光板１８１に入射する。偏光板１８１は、入射する光の中から特定の方向に振動する光を透過させて、基板１８２に光を照射させる。基板１８２は、偏光板１８１を透過して照射された光の偏光方向を制御して、偏光板１８３に照射させる。例えば基板１８２は、液晶に印加する電圧を制御することで液晶の向きを画素毎に制御して、基板１８２を透過する光の偏光方向を画素毎に制御する。そして、基板１８２によって偏光方向が９０度（または２７０度）変えられた画素を透過する光は、偏光板１８３を透過する。即ち、当該画素は、明るい画素（カラーフィルタ（不図示）を透過することで、所定の色を示す画素）としてユーザに認識される。また、基板１８２によって偏光方向が変えられなかった画素を透過する光や、上記の角度以外となるように偏光方向が変えられた画素を透過する光は、偏光板１８３で遮断される。即ち、当該画素は、暗い画素（黒を示す画素）としてユーザに認識される。
【００４１】
発光制御部１９は、明るさ検出部１６の検出結果に基づいて、表示パネル１８の画像を表示する面内のそれぞれの領域に対して発光装置１７が照射する光の強度を、それぞれ制御し得る。例えば、発光制御部１９は、明るさ検出部１６が明るいと検出した画像中の部分を表示する表示パネル１８の領域に照射される光の強度が大きくなり、明るさ検出部１６が暗いと検出した画像中の部分を表示する表示パネル１８の領域に照射される光の強度が小さくなるように、発光装置１７を制御する。
【００４２】
発光制御部１９は、点状光源１７１ａのそれぞれの発光強度（供給電力）を制御することで、表示パネル１８の画像を表示する面内のそれぞれの領域に対して発光装置１７が照射する光の強度を制御し得る。例えば、発光制御部１９は、表示パネル１８のある領域に照射される光を制御するために、当該ある領域と略対向する位置に配置される点状光源１７１ａの発光強度を制御する。
【００４３】
以上のように構成すると、画像表示装置１は、発光装置１７が表示パネル１８に対して照射する光の強度を制御することで、表示パネル１８が略一定の明るさの付加画像を表示する。そのため、表示パネル１８が、自然な付加画像を表示することが可能になる。
【００４４】
さらに、画像表示装置１は、少なくとも表示パネル１８が付加画像を表示する領域に対して発光装置１７が照射する光の強度を、略一定に制御する。そのため、表示パネル１８が表示する付加画像の明るさを、精度よく一定の明るさにすることが可能になる。
【００４５】
さらに、画像表示装置１は、表示パネル１８が付加画像を表示する領域に対して発光装置１７が照射する光の強度を、付加画像に基づいて決定する。そのため、表示パネル１８が表示する付加画像の明るさを、付加画像に適した明るさにすることが可能になる。
【００４６】
また、画像表示装置１は、表示パネル１８が付加画像を表示しない領域に対して発光装置１７が照射する光の強度を、付加画像が重畳されていない画像の部分に基づいて決定する。そのため、表示パネル１８に表示される画像中の付加画像以外の部分の明るさを、当該部分に適した明るさにする（当該部分の明るさの変動を許容する）ことが可能になる。したがって、表示パネル１８が、当該部分を自然に表示することが可能になる。
【００４７】
＜画像表示装置の動作例＞
次に、画像表示装置１の動作例について、図３を参照して説明する。図３は、図１に示す画像表示装置の動作例を示すフローチャートである。
【００４８】
図３に示すように、画像表示装置１が動作を開始すると、例えばＣＰＵ３０が、最初に付加画像を表示するか否かを確認する（ＳＴＥＰ１）。例えば、操作部２０を介してユーザが所定の指示（例えば、画像表示装置１の設定用の付加画像を表示する指示）を入力したか否かを確認する。
【００４９】
画像表示装置１が付加画像を表示する場合（ＳＴＥＰ１、ＹＥＳ）、画像取得部１１が画像を取得するとともに、当該画像に対して画像処理部１２が処理を行う（ＳＴＥＰ２）。さらに、付加画像重畳部１３が、画像処理部１２が処理した画像に対して付加画像を重畳する（ＳＴＥＰ３）。またさらに、画像調整部１４が、付加画像重畳部１３が付加画像を重畳した画像を調整する（ＳＴＥＰ４）。
【００５０】
次に、付加画像位置検出部１５が、画像調整部１４で調整された画像中の付加画像の位置を検出し（ＳＴＥＰ５）、明るさ検出部１６が、付加画像位置検出部１５で検出された付加画像の画像中の位置とそれ以外の位置とを区別して、画像調整部１４で調整された画像の位置毎に明るさを検出する（ＳＴＥＰ６）。
【００５１】
次に、発光制御部１９が、ＳＴＥＰ６で明るさ検出部１６により得られる検出結果に基づいて、発光装置１７が表示パネル１８に照射する光の強度を制御する。そして、表示パネル１８が、発光装置１７が照射する光を用いて、ＳＴＥＰ４で画像調整部１４により得られる画像を表示する（ＳＴＥＰ７）。
【００５２】
次に、例えばＣＰＵ３０は、画像表示装置１の動作を終了するか否かを確認する（ＳＴＥＰ８）。例えば、ＣＰＵ３０は、操作部２０を介してユーザが動作を終了する指示を入力したか否かを確認する。画像表示装置１の動作を終了しない場合（ＳＴＥＰ８、ＮＯ）、ＳＴＥＰ１に戻り付加画像を表示するか否かを確認する。これに対して、画像表示装置１の動作を終了する場合は（ＳＴＥＰ８、ＹＥＳ）、画像表示装置１の動作を終了する。
【００５３】
一方、画像表示装置１が付加画像を表示しない場合（ＳＴＥＰ１、ＮＯ）、画像取得部１１が画像を取得するとともに、当該画像に対して画像処理部１２が処理を行う（ＳＴＥＰ９）。さらに、画像調整部１４が、画像処理部１２が処理した画像を調整する（ＳＴＥＰ１０）。
【００５４】
次に、明るさ検出部１６が、画像調整部１４で調整された画像の位置毎に明るさを検出する（ＳＴＥＰ１１）。そして、発光制御部１９が、ＳＴＥＰ１１で明るさ検出部１６により得られる検出結果に基づいて、発光装置１７が表示パネル１８に照射する光の強度を制御する。そして、表示パネル１８が、発光装置１７が照射する光を用いて、ＳＴＥＰ１０で画像調整部１４により得られる画像を表示する（ＳＴＥＰ１２）。
【００５５】
次に、例えばＣＰＵ３０は、画像表示装置１の動作を終了するか否かを確認する（ＳＴＥＰ８）。画像表示装置１の動作を終了しない場合（ＳＴＥＰ８、ＮＯ）、ＳＴＥＰ１に戻り付加画像を表示するか否かを確認する。これに対して、画像表示装置１の動作を終了する場合は（ＳＴＥＰ８、ＹＥＳ）、画像表示装置１の動作を終了する。
【００５６】
＜変形例＞
なお、発光制御部１９が、付加画像重畳部１３及び画像調整部１４の少なくとも一方の処理内容を参照することで、画像調整部１４で調整された画像中に含まれる付加画像の位置及び明るさの少なくとも一方を検出しても構わない。この場合、付加画像位置検出部１５を不要としたり、明るさ検出部１６が、画像調整部１４で調整された画像中の付加画像の位置とそれ以外の位置とを区別せずに明るさを検出したりしても構わない。
【００５７】
また、付加画像重畳部１３が、画像処理部１２で処理された画像の少なくとも一部に、付加画像を混合（例えば、両方の画像の画素値を所定の割合で加算平均）しても構わない。換言すると、当該画像に半透明の付加画像を重畳させても構わない。これにより、当該画像中の付加画像が重畳された下地となる部分が、表示パネル１８で表示されるようになる。そのため、表示パネル１８が、付加画像だけでなく、当該画像中の付加画像が重畳された下地となる部分まで表示することが可能になる。
【００５８】
上記のように、付加画像重畳部１３が、画像処理部１２で処理された画像の少なくとも一部に付加画像を重畳したとしても、明るさ検出部１６は、付加画像が重畳された画像中の位置の明るさとして、付加画像重畳部１３が当該画像に重畳する付加画像の明るさを検出する。そのため、付加画像が重畳される画像が変動したとしても、表示パネル１８は、当該変動の影響を受けずに付加画像の明るさを一定にして表示することが可能になる。
【００５９】
また、発光装置１７が、複数の点状光源１７１ａの一部または全部の代わりに、複数の線状光源（例えば、蛍光管など）を備えても構わない。ただし、点状光源１７１ａを適用すると、表示パネル１８の画像を表示する面内のそれぞれの領域に対して発光装置１７が照射する光の強度を、それぞれ精度良く制御することが可能になるため、好ましい。
【００６０】
また、図３において、付加画像を表示しない場合に（ＳＴＥＰ１、ＮＯ）、発光制御部１９が、発光装置１７が表示パネル１８に照射する光の強度を表示パネル１８で表示すべき画像に基づいて制御する（ＳＴＥＰ９〜ＳＴＥＰ１２）としたが、この動作例は一例に過ぎず、画像表示装置１がどのような動作を行っても構わない。例えば、付加画像を表示しない場合に（ＳＴＥＰ１、ＮＯ）、発光制御部１９が、発光装置１７が表示パネル１８に照射する光の強度を制御しないこととしても構わない。
【００６１】
また、図３において、画像調整部１４による画像の調整（ＳＴＥＰ４）を、画像処理部１２による調整（ＳＴＥＰ２）の後であり、かつ、付加画像重畳部１３による付加画像の重畳（ＳＴＥＰ３）の前に行っても構わない。この場合、図１の画像調整部１４は、画像処理部１２の後段かつ付加画像重畳部１３の前段に配置されるものとする。
【００６２】
また、本発明の実施の一形態である画像表示装置１について、画像表示部１０の一部の動作を、ＣＰＵ３０や他のマイクロプロセッサなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【００６３】
また、上述した場合に限らず、図１に示す画像表示装置１は、ハードウェア、或いは、ハードウェアとソフトウェアの組み合わせによって実現可能である。また、ソフトウェアを用いて画像表示装置１の一部を構成する場合、ソフトウェアによって実現される部位についてのブロックは、その部位の機能ブロックを表すこととする。
【００６４】
以上、本発明における実施形態について説明したが、本発明の範囲はこれに限定されるものではなく、発明の主旨を逸脱しない範囲で種々の変更を加えて実行することができる。
【産業上の利用可能性】
【００６５】
本発明は、発光装置から出射される光を用いて表示を行う画像表示装置に利用可能である。例えば、液晶を用いた表示パネルを備える液晶表示装置に利用すると、好適である。
【符号の説明】
【００６６】
１        画像表示装置
１０      画像表示部
１１      画像取得部
１２      画像処理部
１３      付加画像重畳部
１４      画像調整部
１５      付加画像位置検出部
１６      明るさ検出部
１７      発光装置
１７１ａ  点状光源
１８      表示パネル
１９      発光制御部
【図１】
2012078573.tif 000003
【図２】
2012078573.tif 000004
【図３】
2012078573.tif 000005